(57)【特許請求の範囲】
【請求項１】
冷媒を圧縮するターボ圧縮機と、圧縮された冷媒を凝縮させる凝縮器と、凝縮された冷媒を膨張させる膨張弁と、膨張された冷媒を蒸発させる蒸発器と、前記ターボ圧縮機へ駆動電力を供給するインバータユニットとを備え、これらターボ圧縮機、凝縮器、膨張弁、蒸発器およびインバータユニットを近傍に配置して一体としたターボ冷凍機において、
前記インバータユニットの外形状を構成する筐体は、正面視した場合に縦寸法よりも横寸法が長い形状とされ、
前記凝縮器および前記蒸発器は、それぞれが略円筒形状とされるとともに、軸線を略水平方向に延在させた状態で、互いに側方に隣り合うように配置され、
前記ターボ圧縮機は、その軸線を略水平方向に延在させた状態で前記凝縮器または前記蒸発器の一方の上方に配置され、
前記インバータユニットは、前記凝縮器または前記蒸発器の他方の上方に配置されていることを特徴とするターボ冷凍機。
【請求項２】
前記ターボ圧縮機は、２台とされ、これらは、前記前記凝縮器または前記蒸発器のいずれか一方の上方の一側および他側に配置され、
前記インバータユニットは、２台とされた前記ターボ圧縮機のそれぞれに対応した２台とされ、これらは、前記凝縮器または前記蒸発器の他方の上方の一側および他側に配置されていることを特徴とする請求項１に記載のターボ冷凍機。
【請求項３】
制御部を備えた制御盤が、前記ターボ圧縮機が位置する前記凝縮器または前記蒸発器の上方に設けられていることを特徴とする請求項１又は２に記載のターボ冷凍機。
【請求項４】
冷媒を圧縮するターボ圧縮機と、圧縮された冷媒を凝縮させる凝縮器と、凝縮された冷媒を膨張させる膨張弁と、膨張された冷媒を蒸発させる蒸発器と、前記ターボ圧縮機へ駆動電力を供給するインバータユニットとを備え、これらターボ圧縮機、凝縮器、膨張弁、蒸発器およびインバータユニットを近傍に配置して一体としたターボ冷凍機において、
前記インバータユニットの外形状を構成する筐体は、正面視した場合に縦寸法よりも横寸法が長い形状とされ、
前記凝縮器および前記蒸発器は、軸線を略水平方向に延在させた状態で配置された１つの円筒容器内に設けられ、
前記ターボ圧縮機は、その軸線を略水平方向に延在させた状態で前記円筒容器の上方に配置され、
前記インバータユニットは、前記ターボ圧縮機の側方に配置され、
制御部を備えた制御盤が、前記インバータユニットが配置された前記ターボ圧縮機の側方とは反対側の他方に設けられていることを特徴とするターボ冷凍機。
【請求項５】
冷媒を圧縮するターボ圧縮機と、圧縮された冷媒を凝縮させる凝縮器と、凝縮された冷媒を膨張させる膨張弁と、膨張された冷媒を蒸発させる蒸発器と、前記ターボ圧縮機へ駆動電力を供給するインバータユニットとを備え、これらターボ圧縮機、凝縮器、膨張弁、蒸発器およびインバータユニットを近傍に配置して一体としたターボ冷凍機において、
前記インバータユニットの外形状を構成する筐体は、正面視した場合に縦寸法よりも横寸法が長い形状とされ、
前記凝縮器および前記蒸発器は、それぞれが略円筒形状とされるとともに、軸線を略水平方向に延在させた状態で、互いに側方に隣り合うように配置され、
前記ターボ圧縮機は、その軸線を略水平方向に延在させた状態で前記凝縮器または蒸発器の一方の上方に配置され、
前記インバータユニットは、前記ターボ圧縮機の側方に配置され、
制御部を備えた制御盤が、前記インバータユニットが配置された前記ターボ圧縮機の側方とは反対側の他方に設けられていることを特徴とするターボ冷凍機。
【請求項６】
前記ターボ圧縮機の動力配線接続部と、前記インバータユニットの動力配線接続部とが、対向して配置されていることを特徴とする請求項１から５のいずれかに記載のターボ冷凍機。
【発明の詳細な説明】
【技術分野】
【０００１】
本発明は、ターボ冷凍機に関し、特にインバータユニットの配置に関するものである。
【背景技術】
【０００２】
半導体製造工場に用いられる冷却水の冷却用として、または地域冷暖房の熱源用としてターボ冷凍機が用いられている。このターボ冷凍機には、ターボ圧縮機の回転数を可変制御できるインバータ機器を備えたインバータユニットが設けられたものがある（例えば特許文献１及び特許文献２参照）。
【０００３】
【特許文献１】特開２００５−１８０２６７号公報
【特許文献２】特開２００６−２３４３２０号公報
【発明の開示】
【発明が解決しようとする課題】
【０００４】
インバータユニットは、発熱するインバータ機器等の内部機器を冷却するために縦方向に配置されている。すなわち、縦方向に配置することにより、空気の自然対流により下方から上方へと空気を流通させ、内部機器を冷却するようになっている。
しかし、インバータユニットを縦方向に配置すると、ターボ冷凍機の高さ寸法が高くなるので、ターボ冷凍機を構成するターボ圧縮機、凝縮器および蒸発器の近傍に配置してユニット化する際にスペース効率良く配置できないという問題がある。
また、インバータユニットを縦方向に配置せざるを得ないので、設置位置の自由度が少なくなり、ターボ圧縮機との距離が長くなってしまう。ターボ圧縮機とインバータユニットとの距離が長くなると、これらを接続する動力配線が長くなり、材料費および施工費が嵩んでしまうという問題がある。
【０００５】
本発明は、このような事情に鑑みてなされたものであって、縦方向の寸法を低くできるターボ冷凍機を提供することを目的とする。
また、本発明は、ターボ圧縮機とインバータユニットとを接続する動力配線を短くできるターボ冷凍機を提供することを目的とする。
【課題を解決するための手段】
【０００６】
上記課題を解決するために、本発明のターボ冷凍機は以下の手段を採用する。
すなわち、本発明にかかるターボ冷凍機は、冷媒を圧縮するターボ圧縮機と、圧縮された冷媒を凝縮させる凝縮器と、凝縮された冷媒を膨張させる膨張弁と、膨張された冷媒を蒸発させる蒸発器と、前記ターボ圧縮機へ駆動電力を供給するインバータユニットとを備え、これらターボ圧縮機、凝縮器、膨張弁、蒸発器およびインバータユニットを近傍に配置して一体としたターボ冷凍機において、前記インバータユニットの外形状を構成する筐体は、側面視した場合に縦寸法よりも横寸法が長い形状とされていることを特徴とする。
【０００７】
インバータユニットの外形状を構成する筐体を、側面視した場合に縦寸法よりも横寸法が長い形状（いわゆる「横置き」）とすることにとり、インバータユニットの縦寸法を抑えることができる。これにより、ターボ冷凍機の全高を抑えることができる。
【０００８】
さらに、本発明のターボ冷凍機は、前記凝縮器および前記蒸発器は、それぞれが略円筒形状とされるとともに、軸線を略水平方向に延在させた状態で、互いに側方に隣り合うように配置され、前記ターボ圧縮機は、その軸線を略水平方向に延在させた状態で前記凝縮器または前記蒸発器の一方の上方に配置され、前記インバータユニットは、前記凝縮器または前記蒸発器の他方の上方に配置されていることを特徴とする。
【０００９】
凝縮器または蒸発器の一方の上方にターボ圧縮機を配置するとともに、他方の上方にインバータユニットを配置することとしたので、軸線を略水平にして側方に隣り合って配置された凝縮器および蒸発器の上方のスペースを有効に利用することができる。特に、ターボ圧縮機の軸線を略水平方向に延在させた状態で配置するとともに、インバータユニットを横置きとしているので、縦方向の寸法を抑えることができる。
【００１０】
さらに、本発明のターボ冷凍機は、前記ターボ圧縮機は、２台とされ、これらは、前記前記凝縮器または前記蒸発器のいずれか一方の上方の一側および他側に配置され、前記インバータユニットは、２台とされた前記ターボ圧縮機のそれぞれに対応した２台とされ、これらは、前記凝縮器または前記蒸発器の他方の上方の一側および他側に配置されていることを特徴とする。
【００１１】
ターボ圧縮機およびインバータユニットをそれぞれ２台としたパラレル機であっても、ターボ圧縮機およびインバータユニットを凝縮器および蒸発器の一側および他側に設けることとすれば、ターボ冷凍機の全高を大きくすることなく配置することができる。
【００１２】
さらに、本発明のターボ冷凍機は、制御部を備えた制御盤が、前記ターボ圧縮機が位置する前記凝縮器または前記蒸発器の上方に設けられていることを特徴とする。
【００１３】
ターボ冷凍機の制御盤は、例えば、ターボ圧縮機の吐出圧力や、凝縮器および蒸発器の圧力および温度等のセンサ出力が入力され、インバータユニットの出力周波数や膨張弁開度を制御する制御部を備えている。この制御盤に電気的なノイズが入ることを可及的に防止するために、インバータユニットから遠ざけた方が好ましい。本発明では、ターボ圧縮機が位置する凝縮器または蒸発器の上方に制御盤を設けることとし、インバータユニットからの距離を大きくとることとした。
【００１４】
さらに、本発明のターボ冷凍機は、前記凝縮器および前記蒸発器は、軸線を略水平方向に延在させた状態で配置された１つの円筒容器内に設けられ、前記ターボ圧縮機は、その軸線を略水平方向に延在させた状態で前記円筒容器の上方に配置され、前記インバータユニットは、前記ターボ圧縮機の側方に配置されていることを特徴とする。
【００１５】
凝縮器および蒸発器が１つの円筒容器内に設けられた単胴式のターボ冷凍機であっても、円筒容器の上方に、軸線を略水平方向に延在させたターボ圧縮機を配置するとともに、インバータユニットをターボ圧縮機の側方に配置することで、ターボ冷凍機の全高を抑えることができる。特に、単胴式の場合には、円筒容器の径がターボ圧縮機に比べて大きくなり、ターボ圧縮機の側方のスペースが形成されることになるので、このスペースにインバータユニットを配置することで有効にスペースを利用することができる。
【００１６】
さらに、本発明のターボ冷凍機は、前記凝縮器および前記蒸発器は、それぞれが略円筒形状とされるとともに、軸線を略水平方向に延在させた状態で、互いに側方に隣り合うように配置され、前記ターボ圧縮機は、その軸線を略水平方向に延在させた状態で前記凝縮器または蒸発器の一方の上方に配置され、前記インバータユニットは、前記ターボ圧縮機の側方に配置されていることを特徴とする。
【００１７】
ターボ圧縮機の側方にスペースが空いている場合には、ターボ圧縮機の側方にインバータユニットを配置することにより、ターボ圧縮機の全高を抑えることができる。特に、ターボ圧縮機の外形状の径に比べて蒸発器の径が大きい場合には、ターボ圧縮機の側方に大きなスペースが形成されるので有効である。
【００１８】
さらに、本発明のターボ冷凍機は、制御部を備えた制御盤が、前記インバータユニットが配置された前記ターボ圧縮機の側方とは反対側の他方に設けられていることを特徴とする。
【００１９】
ターボ冷凍機の制御盤は、例えば、ターボ圧縮機の吐出圧力や、凝縮器および蒸発器の圧力および温度等のセンサ出力が入力され、インバータユニットの出力周波数や膨張弁開度を制御する制御部を備えている。この制御盤に電気的なノイズが入ることを可及的に防止するために、インバータユニットから遠ざけた方が好ましい。本発明では、インバータユニットが配置されたターボ圧縮機の側方とは反対側の他方に制御盤を設けることとし、インバータユニットからの距離を大きくとることとした。
【００２０】
さらに、本発明のターボ冷凍機は、前記ターボ圧縮機の動力配線接続部と、前記インバータユニットの動力配線接続部とが、対向して配置されていることを特徴とする。
【００２１】
ターボ圧縮機の動力配線接続部とインバータユニットの動力配線接続部を、対向して配置することとしたので、これら接続部の間に設けられる動力配線の長さを短くすることができる。
【発明の効果】
【００２２】
本発明によれば、インバータユニットを横配置としたので、ターボ冷凍機の全高を低く抑えることができる。
また、ターボ圧縮機の動力配線接続部とインバータユニットの動力配線接続部を、対向して配置することとしたので、これらを近く配置することができ、動力配線の長さを短くすることができる。
【発明を実施するための最良の形態】
【００２３】
以下に、本発明にかかる実施形態について、図面を参照して説明する。
［第１実施形態］
以下、本発明の第１実施形態について、図１乃至図３を用いて説明する。
図１乃至図３には、本実施形態にかかるターボ冷凍機１の概略構成図が示されている。図１は平面図、図２は正面図、図３は側面図となっている。
ターボ冷凍機１は、ガス冷媒を圧縮するターボ圧縮機３と、ターボ圧縮機３で圧縮されたガス冷媒を凝縮液化させる凝縮器５と、凝縮器５において凝縮された液冷媒に対して過冷却をつけるサブクーラ７と、サブクーラ７から導かれた液冷媒を膨張させる高圧膨張弁４ａと、高圧膨張弁から導かれる液冷媒を一時貯留して中間冷却を行う中間冷却器６と、中間冷却器６から導かれる液冷媒を膨張させる低圧膨張弁４ｂと、低圧膨張弁４ｂにおいて膨張させられた液冷媒を蒸発させる蒸発器９とを備えている。
さらに、ターボ冷凍機１は、ターボ圧縮機３に供給される潤滑油を貯留する潤滑油タンク８と、前記ターボ圧縮機へ駆動電力を供給するインバータユニット１０と、制御部を備えた操作盤（制御盤）１２を備えている。
ターボ冷凍機１は、ターボ圧縮機３、凝縮器５、サブクーラ７、中間冷却器６、高圧膨張弁４ａ、低圧膨張弁４ｂ、蒸発器９、潤滑油タンク８、インバータユニット１０、操作盤１２といった機器が近傍に一体に配置され、ユニット化されている。
【００２４】
ターボ圧縮機３は、遠心羽根車を備えており、この遠心羽根車によってガス冷媒は圧縮される。ターボ圧縮機３は、インバータユニット１０によって駆動される電動機１１を備えており、遠心羽根車は電動機１１によって増速機（図示せず）を介して回転駆動される。電動機１１の回転数は、操作盤１２の指令によって決定される。この操作盤１２は、高圧膨張弁４ａおよび低圧膨張弁４ｂの開度、ターボ圧縮機３のガス冷媒吸込口に設けたインレットガイドベーン（図示せず）等を制御する。
ターボ圧縮機３は、その軸線を略水平方向に延在させた状態で蒸発器９の上方に配置されている（例えば図２及び図３参照）。また、図３から分かるように、ターボ圧縮機３は、ターボ冷凍機１の一側（図２では右側）に配置されている。
ターボ圧縮機３には、圧縮後の吐出冷媒を凝縮器５へと導くための吐出配管３０と、蒸発器からのガス冷媒を吸い込む吸込配管３２が接続されている。
吐出配管３０は、図３に示されているように、ターボ圧縮機３の下部から下方を向く吐出口３４に接続され、略直角に屈曲する屈曲配管３６と、凝縮器側吐出配管３８とを備えている。凝縮器側吐出配管３８は、凝縮器５の側部に設けられ、略水平方向に側方を向くように取り付けられている。凝縮器側吐出配管３８と屈曲配管３６との間、及び、屈曲配管３６と吐出口３４との間は、それぞれ、フランジ継手４０ａ，４０ｂによって接続されている。
【００２５】
凝縮器５は、略円筒形状とされるとともに、軸線を略水平方向に延在させた状態で配置されている。凝縮器５は、軸線方向における両側に設けられた管板２５によって支持されるようになっている。管板２５は、支持脚２９（図３参照）によって下方から支持されている。
凝縮器５の一端（図１及び図２において左端）には、冷却水ノズル１５（図１及び図２参照）が設けられており、この冷却水ノズル１５から導かれる冷却水によって凝縮器５内の冷媒から凝縮熱が除去される。冷却水ノズル１５からさらに冷却水を分岐するように、サブクーラ用冷却水配管１７が設けられている。このサブクーラ用冷却水配管１７によって冷却水がサブクーラ７へも導かれるようになっている。
【００２６】
蒸発器９は、略円筒形状とされるとともに、軸線を略水平方向に延在させた状態で配置されている。蒸発器９は、軸線方向における両側に設けられた管板２６によって支持されるようになっている。
図１に示されているように、蒸発器９と凝縮器５は、互いに隣り合うように配置されている。また、図３に示されているように、蒸発器９は、凝縮器５に対して相対的に低い位置に配置されている。したがって、ターボ圧縮機３は、相対的に低い位置に配置された蒸発器９の上方に配置されていることになる。
蒸発器９の一端（図１及び図２において左端）には、冷水ノズル１３が設けられている。この冷水ノズル１３から導かれた冷水を蒸発器９内に挿入された伝熱管に流通させ、蒸発器９において得られる冷熱によって伝熱管内を流れる水が冷却されることにより、冷水が得られるようになっている。得られた冷水は、空調に用いられる場合には、建物内の各居室に設置された室内機へと送られ、当該居室内の室内空調に利用される。
【００２７】
サブクーラ７は、図２及び図３に示されているように、凝縮器５の下方に配置されている。また、サブクーラ７には、上述したサブクーラ用冷却水配管１７が接続されている。サブクーラ７には、凝縮器５から液冷媒を導く液冷媒配管１９と、高圧膨張弁４ａを介して中間冷却器６へと冷媒を導くサブクール液配管２０が接続されている。
図１から分かるように、サブクーラ７、サブクーラ用冷却水配管１７、液冷媒配管１９、サブクール液配管２０、高圧膨張弁４ａは、凝縮器５の下方に収容されており、凝縮器５の側部によって形成されるターボ冷凍機１の側部から外側にはみ出すことがないようになっている。
【００２８】
中間冷却器６は、図１乃至図３に示されているように、凝縮器５の下方に配置されている。中間冷却器６には、図１に示されているように、高圧膨張弁４ａによって膨張された後の冷媒を導くサブクール液配管２０と、低圧膨張弁４ｂを介して蒸発器９へと液冷媒を導く中間冷却器用液冷媒配管２２と、中間冷却器６の気相部からガス冷媒をターボ圧縮機３の中間段へと導く中間冷却器用ガス冷媒配管２４（図１参照）が接続されている。
図１から分かるように、中間冷却器６、低圧膨張弁４ｂ、中間冷却器用液冷媒配管２２は、凝縮器５の下方に収容されており、凝縮器５の側部によって形成されるターボ冷凍機１の側部から外側にはみ出すことがないようになっている。
【００２９】
インバータユニット１０は、図３に示されているように、凝縮器５の上方に配置されている。
インバータユニット１０は、内部にインバータ素子等のパワー素子を備えており、内部に設けられた冷却ファン（図示せず）によって強制対流冷却されるようになっている。したがって、インバータユニット１０の筐体の側面には吸気口２７（図３）が設けられ、さらに、筐体の上面には排気口２８（図１参照）が設けられている。
図２に示されているように、インバータユニット１０の筐体は、正面視した場合に縦寸法よりも横寸法が長い形状とされている。すなわち、インバータユニット１０は、従来のような縦配置と異なり、横配置とされている。
インバータユニット１０と、ターボ圧縮機３の接続端子台（動力配線接続部）４２との間には、電力を供給するための動力配線４４が設けられている。図１に示されているように、インバータユニット１０の動力配線接続部と、ターボ圧縮機３の接続端子台４２とが対向して近い位置に配置されているので、動力配線４４が短くて済み、取り回しが簡便なようになっている。
図３に示されているように、ターボ冷凍機１を側面視すると、インバータユニット１０の上端と、ターボ圧縮機３の上端とが略同じ高さとなっている。これにより、ターボ冷凍機１の形状を直方体形状に近づけることができる。
【００３０】
操作盤１２は、図１に示されているように、蒸発器９の上方に配置されている。また、操作盤１２は、インバータユニット１０から遠い位置になるように、蒸発器９の左端側でかつ外側方に位置されている。このように、操作盤１２をインバータユニット１０から遠ざけることにより、インバータユニット１０から発生するノイズが操作盤１２内に入り込まない配置とされている。したがって、インバータユニット１０についても、図１に示したように、凝縮器５の外側方に位置させることが好ましい。
【００３１】
潤滑油タンク８は、図２に示されているように、凝縮器５の下方に位置されており、ブラケット４８を介して凝縮器５に対して固定されている。
潤滑油タンク８には、ターボ圧縮機３の下部から潤滑油を排油する排油配管５０と、ターボ圧縮機３の軸受や増速機へと潤滑油を供給する給油配管５２（図１参照）が接続されている。排油配管５０は、図３に示されているように、凝縮器５と蒸発器９との間を通過するように設けられている。
図１及び図３から分かるように、潤滑油タンク８は凝縮器５の下方に収容されており、排油配管５０、給油配管５２は、凝縮器５及び蒸発器９の外形状を包囲する外形領域の内側に設けられており、ターボ冷凍機１の側部から外側にはみ出すことがないようになっている。
【００３２】
次に、上記構成のターボ冷凍機１の動作について説明する。
図１に示すように、冷媒は、ターボ圧縮機３によって圧縮され、凝縮器５に送られる。凝縮器５へと送られた冷媒は、冷却水ノズル１５から導入される冷却水によって冷却されて凝縮する。
【００３３】
凝縮器５において凝縮された液冷媒は、液冷媒配管１９を介してサブクーラ７へと送られ、サブクーラ用冷却水配管１７によって導かれた冷却水によって冷却されて過冷却が付けられる。サブクーラ７にて過冷却が付けられた液冷媒は、高圧膨張弁４ａによって絞られた後に、中間冷却器６へと送られる。絞られて蒸発したガス冷媒は、中間冷却器用ガス冷媒配管２４を介して中間冷却器６から圧縮機３の中間段へと送られる。一方、蒸発せずに中間冷却器６内に貯留された液冷媒は、低圧膨張弁４ｂによって膨張させられ、蒸発器９へと送られる。蒸発器９へと送られた冷媒は、蒸発器９において蒸発する。冷媒が蒸発する際に持ち去る熱量によって冷熱が得られる。この冷熱は、蒸発器９の伝熱管内を流れる冷水に与えられ、この冷水は冷却されることになる。冷水ノズル１３から得られる冷水は、７℃程度の温度である。この冷水は、例えば、各室内機へと供給され、室内空調に用いられる。
蒸発器９において蒸発した冷媒は、吸込配管３２を介してターボ圧縮機３へと戻り再び圧縮される。
【００３４】
本実施形態のターボ冷凍機１によれば、以下の効果を奏する。
インバータユニット１０の外形状を構成する筐体を、正面視した場合に縦寸法よりも横寸法が長い形状（いわゆる「横置き」）とすることにとり、縦置きとした従来に比べて、インバータユニット１０の縦寸法を抑えることができる。これにより、ターボ冷凍機の全高を抑えることができる。
また、蒸発器９の上方にターボ圧縮機３を配置するとともに、凝縮器５の上方にインバータユニット１０を配置することとしたので、軸線を略水平にして側方に隣り合って配置された凝縮器５および蒸発器９の上方のスペースを有効に利用することができる。特に、ターボ圧縮機３の軸線を略水平方向に延在させた状態で配置するとともに、インバータユニット１０を横置きとしているので、縦方向の寸法を抑えることができる。
また、蒸発器９の上方でかつ蒸発器９の一端側に操作盤１２を設けることとし、凝縮器５の上方に設けたインバータユニット１０からの距離を大きくとることとした。これにより、電気的なノイズが操作盤１２に侵入することを可及的に防止することができる。
また、ターボ圧縮機３の接続端子台４２とインバータユニット１０の動力配線接続部を、対向して近い位置に配置することとしたので、これらの間に設けられる動力配線４４の長さを短くすることができる。
【００３５】
なお、本実施形態では、蒸発器９の上方にターボ圧縮機３を配置し、凝縮器５の上方にインバータユニット１０を配置するとともに、凝縮器５の下方にサブクーラ７、中間冷却器６及び潤滑油タンク８を配置する構成としたが、凝縮器５と蒸発器９の位置を互いに入れ替えた構成としてもよい。
【００３６】
［第２実施形態］
次に、本発明の第２実施形態について、図４乃至図６を用いて説明する。図４は平面図、図５は正面図、図６は側面図となっている。
本実施形態は、第１実施形態に比べて、ターボ圧縮機３が２台とされたパラレル機である点で異なる。従って、共通する構成については同一符号を付し、その説明を省略する。
【００３７】
図４に示されているように、２台のターボ圧縮機３は、蒸発器９の上方に設けられている。一方のターボ圧縮機３は蒸発器９の一側（右側）に、他方のターボ圧縮機３は蒸発器９の他側（左側）に配置されている。これらのターボ圧縮機３は、互いの吸込口３２が向き合うように配置されている。
【００３８】
各ターボ圧縮機３には、インバータユニット１０がそれぞれ設けられている。インバータユニット１０は、凝縮器５の上方でかつ外側に設けられている。インバータユニット１０とターボ圧縮機３は、第１実施形態と同様に、動力配線４４が短くなるように、互いの接続部を近くに対向させた状態で配置されている。
操作盤１２は、図４に示されているように、蒸発器９の上方でかつ外側に設けられている。さらに、操作盤１２は、インバータユニット１０に対して圧縮機３を挟んだ状態で配置されている。なお、操作盤の位置は、図４の符号１２Ｂで示したように、蒸発器９の長手方向における略中央に配置しても良い。
【００３９】
潤滑油タンク８は、各ターボ圧縮機３に共通して設け、１台とされている。したがって、潤滑油タンク８には、各ターボ圧縮機３から排油配管が接続されているとともに、各ターボ圧縮機３に対して給油配管が設けられている。
なお、凝縮器５の下方にサブクーラ７、中間冷却器６、潤滑油タンク８を配置する点は、第１実施形態と同様である。
【００４０】
このように、本実施形態によれば、ターボ圧縮機３およびインバータユニット１０をそれぞれ２台としたパラレル機であっても、ターボ圧縮機３およびインバータユニット１０を凝縮器５および蒸発器９の一側および他側に設けることとすれば、ターボ冷凍機の全高を大きくすることなく配置することができる。
【００４１】
［第３実施形態］
次に、本発明の第３実施形態について、図７及び図８を用いて説明する。
本実施形態にかかるターボ冷凍機１Ｂは、凝縮器および蒸発器が１つの円筒容器６０内に設けられた単胴式のターボ冷凍機である。円筒容器６０内には仕切板が設けられ、凝縮器と蒸発器が形成されている。円筒容器６０は、軸線を略水平方向に延在させた状態で配置されている。
円筒容器６０の上方には、その軸線を略水平方向に延在させた状態でターボ圧縮機６２が設けられている。ターボ圧縮機６２と円筒容器６０内の蒸発器との間は、吸込配管６４によって接続されている。
円筒容器６０の上方でかつターボ圧縮機６２の側方には、インバータユニット６６が設けられている。
図８に示すように、ターボ圧縮機６２の側方には、操作盤（制御盤）６７が設けられている。操作盤６７は、円筒容器６０の上方側部に固定されている。また、操作盤６７は、ターボ圧縮機６２を挟んでインバータユニット６６の反対側に設けられている。
【００４２】
このように、凝縮器および蒸発器が１つの円筒容器６０内に設けられた単胴式のターボ冷凍機１Ｂであっても、円筒容器６０の上方に、軸線を略水平方向に延在させたターボ圧縮機６２を配置するとともに、インバータユニット６６をターボ圧縮機６２の側方に配置することで、ターボ冷凍機１Ｂの全高を抑えることができる。特に、単胴式の場合には、円筒容器６０の径がターボ圧縮機６２に比べて大きくなり、ターボ圧縮機６２の側方のスペースが形成されることになるので、このスペースにインバータユニット６６を配置することで有効にスペースを利用することができる。
また、インバータユニット６６が配置されたターボ圧縮機６２の側方とは反対側の他方に操作盤６７を設けることとし、インバータユニット６６からの距離を大きくとることとした。これにより、電気ノイズの侵入を可及的に抑えることができる。
【００４３】
［第４実施形態］
次に、本発明の第４実施形態について、図９及び図１０を用いて説明する。
本実施形態のターボ冷凍機１Ｃは、蒸発器７０がターボ圧縮機７４に比べて大幅に大きい径を有している。
蒸発器７０は、略円筒形状とされており、軸線を略水平方向に延在した状態で下方に配置されている。
凝縮器７２は、略円筒形状とされており、軸線を略水平方向に延在した状態で、蒸発器７０の斜め上方に配置されている。
ターボ圧縮機７４は、蒸発器７０の上方に配置されている。ターボ圧縮機７４と蒸発器７０とは吸込配管７６を介して接続されている。
ターボ圧縮機７４の側方には、インバータユニット７８が固定されている。
図１０に示されているように、インバータユニット７８と反対側となるターボ圧縮機７４の他側には、操作盤（制御盤）８０が配置されている。
【００４４】
このように、ターボ圧縮機７４の側方にインバータユニット７８を固定配置することにより、ターボ冷凍機１Ｃの全高を抑えることができる。特に、ターボ圧縮機７４の径に比べて蒸発器７０の径が大きい場合には、ターボ圧縮機７４の側方に大きなスペースが形成されるので有効である。
また、インバータユニット７８が配置されたターボ圧縮機７４の側方とは反対側の他方に操作盤８０を設けることとし、インバータユニット７８からの距離を大きくとることとした。これにより、電気ノイズの侵入を可及的に抑えることができる。
なお、インバータユニット７８と操作盤８０の位置を入れ替えるように構成しても良い。
【図面の簡単な説明】
【００４５】
【図１】本発明の第１実施形態にかかるターボ冷凍機を示した平面図である。
【図２】本発明の第１実施形態にかかるターボ冷凍機を示した正面図である。
【図３】本発明の第１実施形態にかかるターボ冷凍機を示した側面図である。
【図４】本発明の第２実施形態にかかるターボ冷凍機を示した平面図である。
【図５】本発明の第２実施形態にかかるターボ冷凍機を示した正面図である。
【図６】本発明の第２実施形態にかかるターボ冷凍機を示した側面図である。
【図７】本発明の第３実施形態にかかるターボ冷凍機を示した斜視図である。
【図８】本発明の第３実施形態にかかるターボ冷凍機を示した側面図である。
【図９】本発明の第４実施形態にかかるターボ冷凍機を示した斜視図である。
【図１０】本発明の第４実施形態にかかるターボ冷凍機を示した斜視図である。
【符号の説明】
【００４６】
１，１Ｂ，１Ｃ  ターボ冷凍機
３  ターボ圧縮機
４ａ  高圧膨張弁
４ｂ  低圧膨張弁
５  凝縮器
６  中間冷却器
７  サブクーラ
８  潤滑油タンク
９  蒸発器
１０  インバータユニット
１１  電動機
１２  操作盤（制御盤）
２７  吸気口
２８  排気口
４２  接続端子台
４４  動力配線
６０  円筒容器
６２  ターボ圧縮機
６６  インバータユニット
６７  操作盤（制御盤）
７０  蒸発器
７２  凝縮器
７４  ターボ冷凍機
７８  インバータユニット
８０  操作盤（制御盤）
【図１】
0005403923.tif 000002
【図２】
0005403923.tif 000003
【図３】
0005403923.tif 000004
【図４】
0005403923.tif 000005
【図５】
0005403923.tif 000006
【図６】
0005403923.tif 000007
【図７】
0005403923.tif 000008
【図８】
0005403923.tif 000009
【図９】
0005403923.tif 000010
【図１０】
0005403923.tif 000011